(57)【要約】【課題】  複数のバッテリを電源とする打撃工具において、軽量化に資する技術を提供する。【解決手段】  打撃工具であり、工具ビット１１９を駆動するためのモータ１１０と、モータ１１０を収容する工具本体１０１と、工具本体１０１に連接するハンドル１０９と、バッテリ１７０Ａ，１７０Ｂが着脱可能に装着される複数のバッテリ装着部１６０Ａ，１６０Ｂとを有する。ハンドル１０９は、長軸方向に交差するハンドル延在方向に延在するように設けられており、バッテリ装着部１６０Ａ，１６０Ｂは、当該打撃工具から取り外し不能に工具本体１０１に対して固定されている。【選択図】  図１
2014148014.tif 000002
【特許請求の範囲】
【請求項１】
工具ビットが少なくとも長軸方向に延在する打撃軸上を直線動作する打撃工具であって、
前記工具ビットを駆動するためのモータと、
前記モータを収容する工具本体と、
前記工具本体に連接するハンドルと、
前記モータに電流を供給するためのバッテリが着脱可能に装着されるバッテリ装着部と、を有し、
前記バッテリ装着部は、複数設けられており、
前記ハンドルは、前記長軸方向に交差するハンドル延在方向に延在するように設けられており、
前記バッテリ装着部は、当該打撃工具から取り外し不能に前記工具本体に対して固定されていることを特徴とする打撃工具。
【請求項２】
請求項１に記載の打撃工具であって、
前記バッテリ装着部は、前記バッテリが係合可能なバッテリ係合部を有し、前記バッテリが前記バッテリ係合部に係合することによって当該バッテリを保持するように構成されており、
前記バッテリ装着部は、前記バッテリが前記バッテリ係合部に対して摺動することで、当該バッテリが装着されるように構成されていることを特徴とする打撃工具。
【請求項３】
請求項２に記載の打撃工具であって、
複数の前記バッテリ装着部は、各バッテリが同じ方向に移動することで装着されるように構成されていることを特徴とする打撃工具。
【請求項４】
請求項２または３に記載の打撃工具であって、
複数の前記バッテリ装着部は、前記長軸方向に並んで設けられるとともに各バッテリが前記長軸方向と前記ハンドル延在方向の両方の方向に交差する交差方向に移動することで装着されるように構成されていることを特徴とする打撃工具。
【請求項５】
請求項２または３に記載の打撃工具であって、
複数の前記バッテリ装着部は、前記長軸方向と前記ハンドル延在方向の両方の方向に交差する交差方向に並んで設けられるとともに各バッテリが前記長軸方向と平行な方向に移動することで装着されるように構成されていることを特徴とする打撃工具。
【請求項６】
請求項２に記載の打撃工具であって、
複数の前記バッテリ装着部のうち２つの前記バッテリ装着部は、所定方向に延在する直線上に並んで設けられており、
２つの前記バッテリ装着部のうちの一方の前記バッテリ装着部には、他方の前記バッテリ装着部に近づく方向に、前記バッテリが前記バッテリ係合部に対して摺動することで、当該バッテリが装着されるように構成されており、
２つの前記バッテリ装着部のうちの他方の前記バッテリ装着部には、一方の前記バッテリ装着部に近づく方向に、前記バッテリが前記バッテリ係合部に対して摺動することで、当該バッテリが装着されるように構成されていることを特徴とする打撃工具。
【請求項７】
請求項１に記載の打撃工具であって、
前記バッテリ装着部は、前記バッテリが係合可能なバッテリ係合部を有し、前記バッテリが前記バッテリ係合部に係合することによって当該バッテリを保持するように構成されており、
前記長軸方向と前記ハンドル延在方向の両方の方向に交差する交差方向に、前記バッテリが前記バッテリ係合部に対して摺動することで、当該バッテリが前記バッテリ装着部に装着されるように構成されていることを特徴とする打撃工具。
【請求項８】
請求項１〜７のいずれか１項に記載の打撃工具であって、
複数の前記バッテリ装着部のうち２つの前記バッテリ装着部は、前記工具本体および／または前記ハンドルが介在して離間した２箇所にそれぞれ設けられていることを特徴とする打撃工具。
【請求項９】
請求項１〜８のいずれか１項に記載の打撃工具であって、
前記モータは、当該モータの回転軸と前記打撃軸が平行となるように設けられていることを特徴とする打撃工具。
【請求項１０】
請求項９に記載の打撃工具であって、
前記ハンドルは、作業者に把持されるグリップ部を有し、
前記グリップ部は、前記打撃軸上に設けられていることを特徴とする打撃工具。
【請求項１１】
請求項９または１０に記載の打撃工具であって、
前記ハンドルは、一端側が前記工具本体に連接するグリップ部と、当該グリップ部の他端側と前記工具本体を連結する補強部材を有しており、
複数の前記バッテリ装着部のうち少なくとも１つの前記バッテリ装着部は、前記補強部材に設けられていることを特徴とする打撃工具。
【請求項１２】
請求項１〜７のいずれか１項に記載の打撃工具であって、
前記モータは、当該モータの回転軸と前記打撃軸が交差するように設けられていることを特徴とする打撃工具。
【請求項１３】
請求項８〜１２のいずれか１項に記載の打撃工具であって、
複数の前記バッテリ装着部のうち前記２つのバッテリ装着部は、前記長軸方向と前記ハンドル延在方向の両方の方向に交差する交差方向において、前記工具本体の両側に設けられていることを特徴とする打撃工具。
【発明の詳細な説明】
【技術分野】
【０００１】
本発明は、工具ビットが少なくとも長軸方向に直線動作して被加工材に所定の加工作業を行う打撃工具に関する。
【背景技術】
【０００２】
特開２０１１−１６１６０２号公報は、複数のバッテリパックを電源とする電動工具を開示している。特開２０１１−１６１６０２号公報に記載の電動工具は、工具本体にアダプタを介して複数のバッテリパックを装着する構成である。
【先行技術文献】
【特許文献】
【０００３】
【特許文献１】特開２０１１−１６１６０２号公報
【発明の概要】
【発明が解決しようとする課題】
【０００４】
電動工具は、作業者の負担を軽減するには、軽量であることが好ましい。とりわけバッテリパックを搭載する電動工具の場合は、バッテリパックそれ自体が重量物であることから、軽量化に対する要請が強い。
【０００５】
本発明は、上記に鑑みてなされたものであり、複数のバッテリを電源とする打撃工具において、軽量化に資する技術を提供することをその目的とする。
【課題を解決するための手段】
【０００６】
上記課題を達成するため、本発明に係る打撃工具の好ましい形態によれば、工具ビットが少なくとも長軸方向に延在する打撃軸上を直線動作する打撃工具が構成される。打撃工具は、工具ビットを駆動するためのモータと、モータを収容する工具本体と、工具本体に連接するハンドルと、モータに電流を供給するためのバッテリが着脱可能に装着されるバッテリ装着部とを有する。バッテリ装着部は、複数設けられる。ハンドルは、長軸方向に交差するハンドル延在方向に延在するように設けられている。複数のバッテリ装着部は当該打撃工具から取り外し不能に工具本体に対して固定されている。
【０００７】
本発明によれば、打撃工具は、バッテリが着脱可能に装着される複数のバッテリ装着部を備えており、それらバッテリ装着部が打撃工具から取り外し不能に工具本体に対して固定された構成としている。すなわち、本発明は、バッテリがバッテリ装着部にアダプタを介することなく直接に装着される構成としている。このため、アダプタを介して装着していた従来の打撃工具に比較して、アダプタ相当分の軽量化が可能とされた打撃工具を提供することができる。
ここで、「取外し不能」とは、バッテリ装着部の一部または全体を事後的に打撃工具から容易には離脱させられない構造、すなわち容易に着脱することができるアダプタを有さないいわゆる非アダプタ構造をいうものである。例えば、バッテリ装着部の一部または全体を工具本体またはハンドルで兼用する態様を包含する。換言すれば、打撃工具に対するバッテリ装着部の自在な着脱を許容しない構成、すなわち自在な着脱を禁止する構成としてバッテリ装着部を設定することに特徴を有するのであり、分解可能性までも禁止するものではないが、分解可能としてもよい。また、「固定」とは、バッテリ装着部が工具本体に対して相対的に動かない状態をいうものである。例えば、バッテリ装着部の一部または全体が工具本体に直接的または間接的に一体化されている態様がこれに相当する。すなわち、バッテリ装着部の一部または全体が工具本体と一体形成される態様、溶着、接着、リベット、ネジ等で固着する態様を包含する。
【０００８】
本発明に係る打撃工具の更なる形態によれば、バッテリ装着部は、バッテリが係合可能なバッテリ係合部を有し、バッテリがバッテリ係合部に係合することによって当該バッテリを保持するように構成されている。そして、バッテリ装着部は、バッテリがバッテリ係合部に対して摺動することで、当該バッテリが装着されるように構成されている。
この形態によれば、バッテリをバッテリ係合部に対して摺動することで、バッテリ装着部に装着する構成のため、バッテリの装着作業を楽に行うことができる。
【０００９】
本発明に係る打撃工具の更なる形態によれば、複数のバッテリ装着部は、各バッテリが同じ方向に移動することで装着されるように構成されている。
この形態によれば、各バッテリの着脱作業を工具本体の同じ側から行うことができるため、バッテリの着脱作業がやり易い。
【００１０】
本発明に係る打撃工具の更なる形態によれば、複数のバッテリ装着部は、長軸方向に並んで設けられるとともにバッテリが長軸方向とハンドル延在方向の両方の方向に交差する交差方向に移動することで装着されるように構成されている。
この形態によれば、複数のバッテリ装着部が並んで設けられるため、複数のバッテリのコンパクトな配置が可能となり、当該バッテリに関する電気配線の取り回しの容易化が図れる。
【００１１】
本発明に係る打撃工具の更なる形態によれば、複数のバッテリ装着部は、長軸方向とハンドル延在方向の両方の方向に交差する交差方向に並んで設けられるとともにバッテリが長軸方向と平行な方向に移動することで装着されるように構成されている。
【００１２】
この形態においても、複数のバッテリ装着部が並んで設けられるため、複数のバッテリのコンパクトな配置が可能となり、当該バッテリに関する電気配線の取り回しの容易化が図れる。
【００１３】
本発明に係る打撃工具の更なる形態によれば、複数のバッテリ装着部のうち２つのバッテリ装着部は、所定方向に延在する直線上に並んで設けられている。そして、２つのバッテリ装着部のうちの一方のバッテリ装着部には、他方のバッテリ装着部に近づく方向に、バッテリがバッテリ係合部に対して摺動することで、当該バッテリが装着されるように構成され、２つのバッテリ装着部のうちの他方のバッテリ装着部には、一方のバッテリ装着部に近づく方向に、バッテリがバッテリ係合部に対して摺動することで、当該バッテリが装着されるように構成されている。
この形態によれば、２つのバッテリを互いに対向した姿勢で配置できる。また、各バッテリをバッテリ係合部に摺動させることで、当該バッテリの装着作業を楽に行うことができる。
【００１４】
本発明に係る打撃工具の更なる形態によれば、バッテリ装着部は、バッテリが係合可能なバッテリ係合部を有し、バッテリがバッテリ係合部に係合することによって当該バッテリを保持するように構成されており、長軸方向とハンドル延在方向の両方の方向に交差する交差方向に、バッテリがバッテリ係合部に対して摺動することで、当該バッテリがバッテリ装着部に装着されるように構成されている。
この形態によれば、バッテリの抜け方向（取り外し方向）が工具ビットの打撃動作で発生する振動方向と交差する方向となる。このため、当該バッテリが振動の影響を受けてバッテリ装着部から脱落する可能性を低減することができる。
【００１５】
本発明に係る打撃工具の更なる形態によれば、複数のバッテリ装着部のうち２つのバッテリ装着部は、工具本体および／またはハンドルが介在して離間した２箇所にそれぞれ設けられている。
この形態によれば、バッテリ装着部を離間した２箇所にそれぞれ設ける構成のため、当該バッテリ装着部の設定箇所に関する設計上の自由度が高い。
【００１６】
本発明に係る打撃工具の更なる形態によれば、モータは、当該モータの回転軸と打撃軸が平行となるように設けられている。
この形態によれば、モータの回転軸と打撃軸が平行とされた形式の打撃工具が構成される。
【００１７】
本発明に係る打撃工具の更なる形態によれば、ハンドルは、作業者に把持されるグリップ部を有し、当該グリップ部が打撃軸上に設けられている。
この形態によれば、ハンドルのグリップ部が打撃軸上に設けられた形式の打撃工具が構成される。
【００１８】
本発明に係る打撃工具の更なる形態によれば、ハンドルは、一端側が工具本体に連接するグリップ部と、当該グリップ部の他端側と工具本体を連結する補強部材を有している。そして、複数のバッテリ装着部のうち少なくとも１つのバッテリ装着部は、補強部材に設けられている。
この形態によれば、補強部材をバッテリ装着部として活用でき、合理的である。
【００１９】
本発明に係る打撃工具の更なる形態によれば、モータは、当該モータの回転軸と打撃軸が交差するように設けられている。
この形態によれば、モータの回転軸と打撃軸が交差する形式の打撃工具が構成される。
【００２０】
本発明に係る打撃工具の更なる形態によれば、複数のバッテリ装着部のうち２つのバッテリ装着部は、長軸方向とハンドル延在方向の両方の方向に交差する交差方向において、工具本体の両側に設けられている。
この形態によれば、工具本体の左右の側面を利用してバッテリ装着部を構成することができる。
【発明の効果】
【００２１】
本発明によれば、複数のバッテリを電源とする打撃工具において、当該打撃工具を軽量化し、作業者の負担を軽減することができる。
【図面の簡単な説明】
【００２２】
【図１】本発明の第１実施形態に係るハンマドリルの全体構成を示す断面図である。
【図２】バッテリ装着部に取り付けられたバッテリパックの装着状態を示す拡大図である。
【図３】図１のＡ矢視図である。
【図４】図１のＢ矢視図である。
【図５】バッテリ装着部のターミナルを示す図である。
【図６】バッテリパックを示す斜視図である。
【図７】バッテリパックを示す平面図である。
【図８】図６のＣ矢視図である。
【図９】図６のＤ矢視図である。
【図１０】本発明の第２実施形態に係るハンマドリルの構成および当該ハンマドリルに対するバッテリパックの配置を示す模式図である。
【図１１】図１０の後方（図の右方）から見た模式図である。
【図１２】本発明の第３実施形態に係るハンマドリルの構成および当該ハンマドリルに対するバッテリパックの配置を示す模式図である。
【図１３】図１２の後方（図の右方）から見た模式図である。
【図１４】第３実施形態の変形例を示す模式図である。
【図１５】本発明の第４実施形態に係るハンマドリルの構成および当該ハンマドリルに対するバッテリパックの配置を示す模式図である。
【図１６】本発明の第５実施形態に係るハンマドリルの構成および当該ハンマドリルに対するバッテリパックの配置を示す模式図である。
【図１７】図１６の後方（図の右方）から見た模式図である。
【図１８】本発明の第６実施形態に係るハンマドリルの構成および当該ハンマドリルに対するバッテリパックの配置を示す模式図である。
【図１９】本発明の第７実施形態に係るハンマドリルの構成および当該ハンマドリルに対するバッテリパックの配置を示す模式図である。
【図２０】本発明の第８実施形態に係るハンマドリルの構成および当該ハンマドリルに対するバッテリパックの配置を示す模式図である。
【図２１】本発明の第９実施形態に係るハンマドリルの構成および当該ハンマドリルに対するバッテリパックの配置を示す模式図である。
【図２２】本発明の第１０実施形態に係るハンマドリルの構成および当該ハンマドリルに対するバッテリパックの配置を示す模式図である。
【図２３】本発明の第１１実施形態に係るハンマドリルの構成および当該ハンマドリルに対するバッテリパックの配置を示す模式図である。
【図２４】本発明の第１２実施形態に係るハンマドリルの構成および当該ハンマドリルに対するバッテリパックの配置を示す模式図である。
【図２５】本発明の第１３実施形態に係るハンマドリルの構成および当該ハンマドリルに対するバッテリパックの配置を示す模式図である。
【図２６】本発明の第１４実施形態に係るハンマドリルの構成および当該ハンマドリルに対するバッテリパックの配置を示す模式図である。
【図２７】本発明の第１５実施形態に係るハンマドリルの構成および当該ハンマドリルに対するバッテリパックの配置を示す模式図である。
【図２８】本発明の第１６実施形態に係るハンマドリルの構成および当該ハンマドリルに対するバッテリパックの配置を示す模式図である。
【図２９】図２８の後方（図の右方）から見た模式図である。
【図３０】本発明の第１７実施形態に係るハンマドリルの構成および当該ハンマドリルに対するバッテリパックの配置を示す模式図である。
【図３１】本発明の第１７実施形態を示す模式図である。
【発明を実施するための最良の形態】
【００２３】
（本発明の第１実施形態）
以下、本発明の第１実施形態につき、図１〜図９を参照しつつ詳細に説明する。本発明の実施形態は、バッテリ式打撃工具の一例としてバッテリ式ハンマドリルを用いて説明する。図１は本実施形態に係るハンマドリル１００の全体構成を示す断面図である。図１に示すように、電動式のハンマドリル１００は、ハンマビット１１９を装着し、装着されたハンマビット１１９を長軸方向に打撃動作および長軸方向回りに回転動作させて、被加工材に対して穴明けやハツリ等の加工を行う打撃工具である。このハンマビット１１９が、本発明における「工具ビット」に対応する。
【００２４】
ハンマドリル１００は、概括的に見て、ハンマドリル１００の外郭を形成する本体部１０１を主体として構成される。本体部１０１の先端領域には、ハンマビット１１９が筒状のツールホルダ１５９を介して着脱自在に取付けられる。ハンマビット１１９は、ツールホルダ１５９のビット挿入孔内に挿入され、その長軸方向への相対的な往復動が可能に、かつその周方向への相対的な回動が規制された状態で保持される。
【００２５】
本体部１０１は、電動モータ１１０を収容するモータハウジング１０３、運動変換機構１２０、打撃要素１４０および動力伝達機構１５０を収容するギアハウジング１０５を主体として構成される。ハンマビット１１９の長軸方向に関して本体部１０１のハンマビット１１９と反対側には、作業者が握るハンドグリップ１０９が連接されている。この本体部１０１が、本発明における「工具本体」に対応し、ハンドグリップ１０９が、本発明における「ハンドル」に対応する。
【００２６】
なお、本実施形態では、便宜上、ハンマビット１１９の長軸方向、すなわち本体部１０１の長軸方向に関して、ハンマビット１１９側を、「前側」ないし「前方側」として規定し、ハンドグリップ１０９側を、「後側」ないし「後方側」として規定する。また、図１中の紙面上方を、「上側」ないし「上方側」と規定し、紙面下方を、「下側」ないし「下方側」と規定する。
【００２７】
本体部１０１は、ハンマビット１１９の長軸方向に関して、前方にギアハウジング１０５が配置され、後方にモータハウジング１０３が配置された構成とされる。そして、モータハウジング１０３の後方にハンドグリップ１０９が配置された構成とされる。モータハウジング１０３は、ギアハウジング１０５の下面よりも下方へと延在されており、この延在された領域に電動モータ１１０が配置されている。電動モータ１１０は、当該電動モータ１１０の回転軸が上下方向に傾斜状に延在するように配置され、ハンマビット１１９の長軸方向に延在する打撃軸に対して交差している。この電動モータ１１０が、本発明における「モータ」に対応する。
【００２８】
すなわち、この実施形態のハンマドリル１００は、ハンマビット１１９の打撃軸と電動モータ１１０の回転軸が交差する構成であり、以下、このような構成のハンマドリルを便宜上、第１形態のハンマドリルという。なお、本体部１０１を構成するモータハウジング１０３、ギアハウジング１０５、およびハンドグリップ１０９のそれぞれは、ハンマビット１１９の長軸方向に縦割りされた左右の半割部材を互いに接合することで構成される。
【００２９】
電動モータ１１０の回転出力は、運動変換機構１２０によって直線動作に適宜変換された上で打撃要素１４０に伝達され、当該打撃要素１４０を介してハンマビット１１９の長軸方向（図１の左右方向）への衝撃力を発生する。また電動モータ１１０の回転出力は、動力伝達機構１５０によって適宜減速された上でハンマビット１１９に伝達され、当該ハンマビット１１９が周方向に回転動作される。電動モータ１１０は、ハンドグリップ１０９に配置されたトリガ１０９ａの引き操作によって通電駆動される。
【００３０】
運動変換機構１２０は、電動モータ１１０のモータ軸１１１の上方に配置されており、モータ軸１１１の回転出力をハンマドリル１００の前後方向への直線運動に変換する機構である。運動変換機構１２０は、モータ軸１１１によって回転駆動される中間軸１２１と、中間軸１２１に取り付けられた回転体１２３と、中間軸１２１（回転体１２３）の回転に伴いハンマドリル１００の前後方向に揺動される揺動部材１２５と、揺動部材１２５の揺動動作に伴ってハンマドリル１００の前後方向に往復移動する駆動体としての筒状のピストン１２７と、ピストン１２７を収容するシリンダ１２９を主体として構成されている。モータ軸１１１は中間軸１２１に対して傾斜状に配置される。シリンダ１２９は、ツールホルダ１５９の後方領域としてツールホルダ１５９に一体状に形成されている。
【００３１】
打撃要素１４０は、運動変換機構１２０の上方であって、ツールホルダ１５９の後方に配置されており、運動変換機構１２０によって電動モータ１１０の回転出力から変換されたハンマドリル１００の前後方向への直線状の出力を、ハンマビット１１９に打撃力として伝達する機構である。すなわち、打撃要素１４０は、筒状のピストン１２７内に摺動可能に配置された打撃子としてのストライカ１４３と、ストライカ１４３の前方に配置され、ストライカ１４３が衝突するインパクトボルト１４５を主体として構成されている。なお、ストライカ１４３の後方のピストン１２７の空間は、ピストン１２７の摺動動作を空気の圧力変動を介してストライカ１４３に伝達する空気室１２７ａを形成している。
【００３２】
動力伝達機構１５０は、運動変換機構１２０の前側に配置されており、運動変換機構１２０の中間軸１２１から伝達された電動モータ１１０の回転出力をツールホルダ１５９に伝達する機構である。すなわち、動力伝達機構１５０は、中間軸１２１と共に回転する第１ギア１５１と、第１ギア１５１と噛み合い係合されるとともに、ツールホルダ１５９（シリンダ１２９）に取付けられた第２ギア１５３等の複数のギアからなるギア減速機構を主体として構成されている。
【００３３】
ハンドグリップ１０９は、ハンマビット１１９の長軸方向、すなわち打撃軸の延在方向と同一平面上で交差する上下方向に延在するグリップ部１０９Ａを主体として構成されている。上記の上下方向が、本発明における「ハンドル延在方向」に対応する。グリップ部１０９Ａは、モータハウジング１０３のうちの上側部分に対して所定の間隔を置いて配置されるとともに、その上部がモータハウジング１０３の後端上部から後方へと概ね水平状に延在する上方連接部１０３ａによって連接され、下部がモータハウジング１０３の上下方向の略中程から後方へと概ね水平状に延在する下方連接部１０３ｂによって連接されている。なお、この実施形態では、図１に示すように、上方連接部１０３ａおよび下方連接部１０３ｂが、モータハウジング１０３から一体に延出してグリップ部１０９Ａに連接する構成としているが、グリップ部１０９Ａから一体に延出してモータハウジング１０３に連接する構成であっても構わない。
【００３４】
モータハウジング１０３の下方連接部１０３ｂは、モータハウジング１０３の上下方向の略中央部から後方へと延出されており、その下面部にバッテリパック装着用としての装着部１６０がハンマビット１１９の長軸方向に並んで設けられている。この装着部１６０は、２つのバッテリ装着部１６０Ａ，１６０Ｂにより構成されている。これら２つのバッテリ装着部１６０Ａ，１６０Ｂは、ハンマドリル１００から取り外すことができないように、下方連接部１０３ｂに対して固定された状態に設けられている。そして、２つのバッテリ装着部１６０Ａ，１６０Ｂのそれぞれに、電動モータ１１０に駆動用の電流を供給するためのバッテリパック１７０Ａ，１７０Ｂが個々に着脱自在に装着される構成とされる。この２つのバッテリ装着部１６０Ａ，１６０Ｂが、本発明における「複数のバッテリ装着部」に対応し、バッテリパック１７０Ａ，１７０Ｂが、本発明における「バッテリ」に対応する。図１〜図４においては、バッテリパック１７０Ａ，１７０Ｂを二点鎖線で示している。
【００３５】
なお、下方連接部１０３ｂの内部には空間が形成されており、この空間に電動モータ制御用のコントローラ１３０が収容配置されている。すなわち、コントローラ１３０は、図１に実線で示すように、バッテリパック１７０Ａ，１７０Ｂとハンドグリップ１０９との間に配置されている。換言すれば、コントローラ１３０は、バッテリパック１７０Ａ，１７０Ｂの上方位置に水平方向に長い横置きに配置されている。なお、このコントローラ１３０については、図１に二点鎖線で示すように、電動モータ１１０の後方、すなわちバッテリパック１７０Ａ，１７０Ｂと電動モータ１１０の間に配置するように構成することも可能である。
【００３６】
図６〜図９は、バッテリパック１７０Ａ，１７０Ｂ（図では１つのバッテリパックを示す）の詳細を示している。図示のように、バッテリパック１７０Ａ，１７０Ｂは、概略的には略直方形のバッテリケース１７１と、バッテリケース１７１内に収容される複数の電池セル（便宜上図示を省略する）とを主体として構成される。バッテリパック１７０Ａ，１７０Ｂは、各バッテリ装着部１６０Ａ，１６０Ｂの下面に沿ってハンマビット１１９の長軸方向とハンドグリップ１０９の延在方向との両方の方向に交差する左右方向、すなわち側方から水平状に移動させるスライド方式によってバッテリ装着部１６０Ａ，１６０Ｂに着脱自在に装着される構成とされている。なお、２つのバッテリパック１７０Ａ，１７０Ｂは、同じ構成であり、２つのバッテリ装着部１６０Ａ，１６０Ｂのいずれにも装着が可能である。
【００３７】
バッテリパック１７０Ａ，１７０Ｂを着脱自在とするために、バッテリケース１７１の上面側には、長手方向の両側面に沿って直線状に延びる一対の装着ガイド１７３が設けられ、またバッテリケース１７１の上面側中央部には、ロック用のフック１７５とロック解除用の押しボタン１７７が設けられている。ロック用のフック１７５は、バッテリパック１７０Ａ，１７０Ｂの装着方向後部寄りに設けられ、バッテリケース１７１の上面から突き出るようにバネ（便宜上図示を省略する）によって付勢されている。ロック解除用の押しボタン１７７は、バッテリケース１７１の装着方向後面側に配置されており、押し込み操作したときに、フック１７５がバッテリケース１７１の上面から引っ込む方向へ移動するように当該フック１７５と機械的に連結されている。
【００３８】
一方、前後２つのバッテリ装着部１６０Ａ，１６０Ｂのそれぞれは、バッテリパック１７０Ａ，１７０Ｂの側方からの装着を可能とするために、図１および図２に示すように、ハンマビット１１９の長軸方向と交差する左右方向に直線状に延びる前後一対のガイドレール１６１を備えている。このガイドレール１６１は、下方連接部１０３ｂに一体に形成されている。ガイドレール１６１は、断面が横向きの略Ｕ形状とされるとともに、延在方向の一端が装着ガイド１７３の挿入口として開口されており、バッテリパック１７０Ａ，１７０Ｂの装着ガイド１７３がハンマビット１１９の長軸方向とハンドグリップ１０９の延在方向との両方の方向と交差する方向に摺動することで挿入される。すなわち、ガイドレール１６１は、バッテリパック１７０Ａ，１７０Ｂをバッテリ装着部１６０Ａ，１６０Ｂに取り付ける際の案内手段、およびバッテリパック１７０Ａ，１７０Ｂのバッテリ装着部１６０Ａ，１６０Ｂからの脱落を防止する手段として機能する。このガイドレール１６１が、本発明における「バッテリ係合部」に対応する。
【００３９】
また、各バッテリ装着部１６０Ａ，１６０Ｂは、図４に示すように、バッテリパック１７０Ａ，１７０Ｂのフック１７５が係止可能な凹状の係止部１６３を備えている。係止部１６３は、前後のガイドレール１６１間のバッテリパック挿入口側に位置するように、下方連接部１０３ｂに一体に設けられており、バッテリパック１７０Ａ，１７０Ｂがバッテリ装着部１６０Ａ，１６０Ｂに装着されたとき、図４に示すように、ロック用のフック１７５と係止する。これにより、バッテリパック１７０Ａ，１７０Ｂは、バッテリ装着部１６０Ａ，１６０Ｂに固定されて取り外す方向への移動、すなわち抜け落ちが規制される。なお、フック１７５は、バッテリパック１７０Ａ，１７０Ｂのバッテリ装着部１６０Ａ，１６０Ｂへの装着時において、当該フック１７５のテーパ部分を係止部１６３で押されて一旦下方へと移動後、初期位置に復帰することで係止部１６３に係止するように構成されている。
【００４０】
各バッテリ装着部１６０Ａ，１６０Ｂに装着されたバッテリパック１７０Ａ，１７０Ｂは、当該バッテリ装着部１６０Ａ，１６０Ｂに対する装着面である上面を除いては、その外面が露出された状態に置かれるとともに、少なくともその下面がモータハウジング１０３の下面と面一となるように設定されている。これにより、バッテリパック１７０Ａ，１７０Ｂおよびモータハウジング１０３の下面を載置面として、ハンマドリル１００を地面や床面に安定に載置できる。
【００４１】
かくして、バッテリパック１７０Ａ，１７０Ｂは、電動モータ１１０の後方であって、且つハンドグリップ１０９の下方位置に、当該バッテリパック１７０Ａ，１７０Ｂの長手方向がハンマビット１１９の長軸方向とハンドグリップ延在方向の両方の方向に交差する交差方向となるように前後方向に並べて配置される。すなわち、バッテリパック１７０Ａ，１７０Ｂは、ハンマビット１１９の長軸方向の長さが当該長軸方向と交差する方向の長さよりも短くなるように配置されることになる。
【００４２】
そして、本実施形態では、前後２つのバッテリ装着部１６０Ａ，１６０Ｂは、ハンマドリル１００を後方から見て、バッテリパック１７０Ａ，１７０Ｂの左側から右側への移動（スライド）方向（図３および図４に示すＦ矢印方向）が装着方向と定められ、その逆方向への移動が取り外し方向と定められている。すなわち、この実施形態では、バッテリパック１７０Ａ，１７０Ｂの着脱方向が、２つ共に同一方向として設定されているが、着脱方向については、一方のバッテリパック１７０Ａと他方のバッテリパック１７０Ｂが互いに異なる方向であっても差し支えない。つまり、一方のバッテリパック１７０Ａについては、右側から装着し、他方のバッテリパック１７０Ｂについては、左側から装着する設定に変更することが可能である。
【００４３】
また、各バッテリ装着部１６０Ａ，１６０Ｂは、ターミナル１６５（図５参照）を備えている。ターミナル１６５は、前後のガイドレール１６１間において、下方連接部１０３ｂの下面に固定されおり、バッテリパック１７０Ａ，１７０Ｂがバッテリ装着部１６０Ａ，１６０Ｂに装着されたとき、当該バッテリパック１７０Ａ，１７０Ｂのターミナル１７９（図６および図７参照）と電気的に接続される。これにより、バッテリパック１７０Ａ，１７０Ｂから電動モータ１１０およびコントローラ１３０への電流供給が可能とされる。
【００４４】
また、各バッテリ装着部１６０Ａ，１６０Ｂの下面部には、図３に示すように、円柱状のラバーピン１６７が、仮想四角形の各コーナー部に位置するように４個配置されている。これら４個のラバーピン１６７は、下方へと所定長さで突出されており、バッテリ装着部１６０Ａ，１６０Ｂに装着されたバッテリパック１７０Ａ，１７０Ｂの上面４か所に対して弾発状に下向きに付勢する。これにより、バッテリパック１７０Ａ，１７０Ｂの振動によるがたつきを規制することができる。なお、ラバーピン１６７は、円柱状以外の形状に形成してもよいし、ラバーピン１６７から板ばね等の各種ばね部材に変更しても差し支えない。
【００４５】
上述したように、本実施形態によれば、モータハウジング１０３の下方連接部１０３ｂに、バッテリ装着部１６０Ａ，１６０Ｂを前後２列に設定し、それぞれのバッテリ装着部１６０Ａ，１６０Ｂにバッテリパック１７０Ａ，１７０Ｂが着脱可能に装着される構成としている。このため、ハンマドリル１００が、例えば３６Ｖ仕様の場合であれば、１８Ｖのバッテリパック１７０Ａ，１７０Ｂが２つ装着されて、電気的に直列に接続される。１８Ｖのバッテリパックは、３６Ｖのバッテリパックに比べると、その重量が相当に軽いものである。このことから、作業者は、バッテリパック１７０Ａ，１７０Ｂの交換作業、すなわちバッテリ装着部１６０Ａ，１６０Ｂに対するバッテリパック１７０Ａ，１７０Ｂの着脱を簡単に行うことが可能となり、着脱の操作性が向上する。なお、ハンマドリル１００が１８Ｖ仕様の場合であれば、２つのバッテリパック１７０Ａ，１７０Ｂは、電気的に並列に接続されるように構成されていてもよい。このときはハンマドリル１００の長時間駆動が可能になる。さらに、ハンマドリル１００が３６Ｖと１８Ｖのどちらの電圧でも駆動可能である場合には、バッテリパック１７０Ａ，１７０Ｂの接続態様を直列と並列との間で切り替えるように構成されていてもよい。この場合には、作業者によってバッテリパック１７０Ａ，１７０Ｂの接続態様を切り替え可能な切替スイッチを設けることが好ましい。
【００４６】
また、本実施の形態によれば、２つのバッテリ装着部１６０Ａ，１６０Ｂがモータハウジング１０３の下方連接部１０３ｂに対して固定された状態で設けられ、これらのバッテリ装着部１６０Ａ，１６０Ｂにバッテリパック１７０Ａ，１７０Ｂが装着される構成としている。すなわち、本実施形態は、２つのバッテリパック１７０Ａ，１７０Ｂがバッテリ装着部１６０Ａ，１６０Ｂにアダプタを介することなく直接に装着される構成としている。このため、アダプタを介して装着していた従来の構成に比較して、アダプタ相当分の軽量化が図られたハンマドリル１００を提供することができる。
【００４７】
また、一般にバッテリパック１７０Ａ，１７０Ｂは、一方に長い略直方形に形成される。本実施の形態では、モータハウジング１０３の下方連接部１０３ｂに、１８Ｖのバッテリパック１７０Ａ，１７０Ｂを、その長手方向がハンマビット１１９の長軸方向と交差する方向となるように、前後方向に２つ並べて配置する構成としている。すなわち、バッテリ装着部１６０Ａ，１６０Ｂに装着された状態において、バッテリパック１７０Ａ，１７０Ｂは、ハンマビット１１９の長軸方向の長さが当該長軸方向と交差する方向の長さよりも短くなるように配置される。これにより、長手方向がハンマビット１１９の長軸方向と同方向となるように配置する場合に比べて、ハンマビット１１９の長軸方向に関するバッテリパック１７０Ａ，１７０Ｂの配置空間を小さくして、ハンマドリル１００の前後方向長さ、すなわち全長が短縮されたコンパクトな形状に構成可能である。
【００４８】
また、本実施形態では、バッテリパック１７０Ａ，１７０Ｂをバッテリ装着部１６０Ａ，１６０Ｂに対してハンマドリル１００の側方から挿入して装着する構成としている。このため、バッテリパック１７０Ａ，１７０Ｂは、ハンマビット１１９の打撃軸と交差する方向、すなわちハンマビット１１９の打撃動作で発生する振動方向と交差する方向が抜け方向となり、振動の影響を受けて脱落する可能性を低減可能である。
【００４９】
また、本実施形態では、バッテリパック１７０Ａ，１７０Ｂの装着ガイド１７３をバッテリ装着部１６０Ａ，１６０Ｂのガイドレール１６１に沿って摺動することで、バッテリ装着部１６０Ａ，１６０Ｂに装着する構成のため、装着作業を楽に行うことができる。
【００５０】
また、本実施形態では、２つのバッテリ装着部１６０Ａ，１６０Ｂが並んで設けられるため、２つのバッテリパック１７０Ａ，１７０Ｂのコンパクトな配置が可能となり、当該バッテリパック１７０Ａ，１７０Ｂに関する電気配線の取り回しの容易化が図れる。
【００５１】
また、本実施形態では、バッテリパック１７０Ａ，１７０Ｂを、モータハウジング１０３の後方で、且つハンドグリップ１０９の下方に位置するように配置している。第１形態のハンマドリル１００の場合、モータハウジング１０３のうち電動モータ１１０を収容する領域が下方へと延出する構造上の特性から、当該下方連接部分の後方、従ってハンドグリップ１０９の下方には、スペースが生まれる。本実施形態は、このスペースを活用してのバッテリパック１７０Ａ，１７０Ｂの配置であり、合理的な配置となる。また、この位置は、ハンマビット１１９による加工位置から離間した位置でもあり、加工作業の邪魔にならない。
【００５２】
また、本実施形態では、モータハウジング１０３の後方で、且つハンドグリップ１０９の下方にバッテリパック１７０Ａ，１７０Ｂを配置する構成とした上で、当該バッテリパック１７０Ａ，１７０Ｂの下面をモータハウジング１０３の下面と面一に設定してある。このため、ハンマドリル１００を地面や床面に載置する場合、当該ハンマドリル１００を安定状態で載置することができる。
なお、本実施形態は、ハンマビット１１９の打撃軸と電動モータ１１０の回転軸が傾斜状に交差する場合で説明したが、傾斜配置に限らず、ハンマビット１１９の打撃軸と電動モータ１１０の回転軸が直交状に配置される構成でもよい。
【００５３】
（本発明の第２実施形態）
次に本発明の第２実施形態につき、図１０および図１１を参照しつつ説明する。図１０および図１１は、第１実施形態で説明した第１形態のハンマドリル１００を模式図で描いている。図示のように、この実施形態は、第１形態のハンマドリル１００において、モータハウジング１０３とハンドグリップ１０９とを連接する下方連接部１０３ｂの下面に２つのバッテリ装着部１６０Ａ，１６０Ｂが、ハンマビット１１９の長軸方向とハンドグリップ１０９の延在方向との両方の方向に交差する交差方向に並べて設けられた構成とされる。そして、２つのバッテリ装着部１６０Ａ，１６０Ｂは、当該２つのバッテリ装着部１６０Ａ，１６０Ｂに対してバッテリパック１７０Ａ，１７０Ｂがハンマビット１１９の長軸方向と平行な方向に移動することで着脱されるように構成されている。
【００５４】
すなわち、この実施形態のバッテリ装着部１６０Ａ，１６０Ｂは、バッテリパック１７０Ａ，１７０Ｂがハンマドリル１００の後方から前方へ移動されることでバッテリ装着部１６０Ａ，１６０Ｂに装着され、その逆方向に移動されることでバッテリ装着部１６０Ａ，１６０Ｂから取り外されるように構成されている。なお、上記以外の構成については、前述した第１実施形態と同様に構成されている。この実施形態によれば、前述した第１実施形態と同様の効果を奏することができる。
【００５５】
（本発明の第３実施形態）
次に本発明の第３実施形態につき、図１２および図１３を参照しつつ説明する。この実施形態は、第１形態のハンマドリル１００において、ハンマビット１１９の長軸方向と交差する方向に関して下方連接部１０３ｂの下面中央部に配置されて下方へと延在する竪壁部１０３ｃを一体に形成し、この縦壁部１０３ｃの左右側面にバッテリ装着部１６０Ａ，１６０Ｂを設けている。すなわち、２つのバッテリ装着部１６０Ａ，１６０Ｂは、縦壁部１０３ｃを介在して左右２箇所に離間して設けられている。この縦壁部１０３ｃの左右側面が、本発明における「工具本体および／またはハンドルが介在して離間した２箇所」に対応する。そして、左右のバッテリ装着部１６０Ａ，１６０Ｂは、ハンマドリル１００の後方において、バッテリパック１７０Ａ，１７０Ｂが前後方向、すなわちハンマビット１１９の長軸方向に移動することで着脱されるように構成されている。なお、上記以外の構成については、前述した第１実施形態と同様に構成されている。
【００５６】
この実施形態によれば、縦壁部１０３ｃを、ハンマドリル１００を地面等に載置する場合のスタンド（台座）として利用する構成が可能である。その場合、縦壁部１０３ｃの下面に対して装着状態でのバッテリパック１７０Ａ，１７０Ｂの下面が概ね面一となるように設定されることが好ましい。これにより、ハンマドリル１００を地面や床面に載置する場合、当該ハンマドリル１００を安定状態で載置することができる。また、この他、第１実施形態と概ね同様の効果を奏することが可能である。
【００５７】
なお、図１４は第３実施形態の変形例を示している。軽量化を目的として、図１３に示すバッテリパック１７０Ａ，１７０Ｂよりも小型化された容量の小さいバッテリパック１７０Ａ，１７０Ｂが存在する。例えば、１８Ｖのバッテリパックの場合であれば、図１３に示す通常の、すなわち大容量のバッテリパックが３Ａｈ（アンペア・アワー）であるのに対し、小型化された軽量の、すなわち小容量のバッテリパックは１．３Ａｈである。この小型化された軽量のバッテリパック１７０Ａ，１７０Ｂは、図１４に示すように、図１３に示すバッテリパック１７０Ａ，１７０Ｂに比べ、厚みを薄くすることで小型化しており、厚み以外の横幅及び縦幅が同一寸法の長方形状に形成されている。つまり、図１４に示す変形例にあっては、縦壁部１０３ｃの左右側面に設けたバッテリ装着部１６０Ａ，１６０Ｂに、上記の小型のバッテリパック１７０Ａ，１７０Ｂを装着した場合であっても、バッテリ装着部１６０Ａ，１６０Ｂに装着された状態でのバッテリパック１７０Ａ，１７０Ｂの下面が縦壁部１０３ｃの下面と面一となる構成である。これによりハンマドリル１００を地面や床面に載置する場合、当該ハンマドリル１００を安定状態で載置することができる。
【００５８】
（本発明の第４実施形態）
次に本発明の第４実施形態につき、図１５を参照しつつ説明する。図１５は、電動モータ１１０の回転軸とハンマビット１１９の打撃軸が平行に配置され、且つハンドグリップ１０９のグリップ部１０９Ａが打撃軸上に位置している構成のハンマドリル１００（以下、このような構成のハンマドリルを便宜上、第２形態のハンマドリルという）を示す模式図である。ハンドグリップ１０９は、モータハウジング１０３の後端上部からハンマビット１１９の長軸方向と同一平面上で交差する下方に向かって延在されたグリップ部１０９Ａの延在端部と、モータハウジング１０３の後端下部とを、上下方向に傾斜状に延在するグリップ補強用のサポート部材１０７により連接された構成としている。電動モータ１１０の回転は、運動変換機構１２０により直線運動に変換された後、ツールホルダ１５９によって保持されたハンマビット１１９に打撃要素１４０を介して打撃力として伝達される。また、電動モータ１１０の回転は、ツールホルダ１５９によって保持されたハンマビット１１９に動力伝達機構１５０を介して回転運動として伝達される。
【００５９】
この実施形態では、上記の第２形態のハンマドリル１００において、グリップ部１０９Ａの延在端部およびサポート部材１０７の下面に、２つのバッテリ装着部１６０Ａ，１６０Ｂがハンマビット１１９の長軸方向において同一直線上に前後に並べて設けられている。そして、前側のバッテリ装着部１６０Ａは、バッテリパック１７０Ａが後方、すなわち後側のバッテリ装着部１６０Ｂに近づく方向に移動されることで当該前側のバッテリ装着部１６０Ａに装着されるように構成されている。一方、後側のバッテリ装着部１６０Ｂは、バッテリパック１７０Ｂが前方、すなわち前側のバッテリ装着部１６０Ａに近づく方向に移動されることで当該後側のバッテリ装着部１６０Ｂに装着されるように構成されている。なお、言うまでもなくバッテリパック１７０Ａ，１７０Ｂは、装着方向と反対方向に移動されることでバッテリ装着部１６０Ａ，１６０Ｂからの取り外しが可能とされる。なお、上記以外の構成については、前述した第１実施形態と同様に構成されている。
【００６０】
上記のように、この実施形態の前後２つのバッテリ装着部１６０Ａ，１６０Ｂは、ハンマビット１１９の長軸方向に関して互いに対向する対面式配置として構成されている。そして、２つのバッテリパック１７０Ａ，１７０Ｂは、その長手方向において互いに対向した姿勢で配置される構成のため、当該バッテリパック１７０Ａ，１７０Ｂの本体部１０１の側方へのはみ出しが抑えられ、あるいは減少される。また、この他、第１実施形態と概ね同様の効果を奏することが可能である。
【００６１】
（本発明の第５実施形態）                                      
次に本発明の第５実施形態につき、図１６および図１７を参照しつつ説明する。図１６および図１７は、ハンドグリップ１０９のグリップ部１０９Ａが、モータハウジング１０３の後端部からハンマビット１１９の長軸方向と同一平面上で交差する下方に向かって延在する構成のハンマドリル１００（以下、このような構成のハンマドリルを便宜上、第３形態のハンマドリルという）を示す模式図である。
【００６２】
この実施形態は、上記の第３形態のハンマドリル１００において、ハンマビット１１９の長軸線上、すなわち打撃軸上において、モータハウジング１０３の後端部の左右側面にバッテリ装着部１６０Ａ，１６０Ｂを設けている。すなわち、２つのバッテリ装着部１６０Ａ，１６０Ｂは、モータハウジング１０３を介在して左右２箇所に離間して設けられている。このモータハウジング１０３の左右側面が、本発明における「工具本体および／またはハンドルが介在して離間した２箇所」に対応する。そして、左右のバッテリ装着部１６０Ａ，１６０Ｂは、バッテリパック１７０Ａ，１７０Ｂがハンマドリル１００の後方側から前方側へ移動することで装着され、前方側から後方側へ移動することで取り外されるように構成されている。なお、上記以外の構成については、前述した第１実施形態と同様に構成されている。
【００６３】
この実施形態によれば、バッテリパック１７０Ａ，１７０Ｂがハンマビット１１９の打撃軸上に配置されることで、ハンマドリル１００の重心位置をハンマビット１１９の長軸方向と交差する上下方向に関して打撃軸に近づけることが可能になる。これにより、ハンマビット１１９の打撃時におけるハンマドリル１００の重心回りの前後方向モーメントを軽減できる。また、この他、第１実施形態と概ね同様の効果を奏することが可能である。
【００６４】
（本発明の第６実施形態）                                      
次に本発明の第６実施形態につき、図１８を参照しつつ説明する。図１８は、第３形態のハンマドリル１００において、ハンドグリップ１０９の延在端部と、モータハウジング１０３の前端側下部とを、上下方向に傾斜状に延在するハンドグリップ補強用のサポート部材１０７により連接した構成のハンマドリル１００（以下、このような構成のハンマドリルを便宜上、第４形態のハンマドリルという）を示す模式図である。すなわち、ハンドグリップ１０９は、グリップ部１０９Ａとサポート部材１０７とを有する。このサポート部材１０７が、本発明における「補強部材」に対応する。
【００６５】
この実施形態は、上記の第４形態のハンマドリル１００において、ハンドグリップ１０９の延在端部、すなわちグリップ部１０９Ａの下端部に一方のバッテリ装着部１６０Ａを設け、サポート部材１０７の前面部に他方のバッテリ装着部１６０Ｂを設けている。すなわち、２つのバッテリ装着部１６０Ａ，１６０Ｂは、ハンドグリップ１０９を介在して前後２箇所に離間して設けられている。このハンドグリップ１０９のグリップ部１０９Ａとサポート部材１０７が、本発明における「工具本体および／またはハンドルが介在して離間した２箇所」に対応する。そして、一方のバッテリ装着部１６０Ａに対して一方のバッテリパック１７０Ａが、ハンマドリル１００の後方から前方への移動により装着される構成とされ、また、他方のバッテリ装着部１６０Ｂに対しては、他方のバッテリパック１７０Ｂが下方から上方への移動により装着されるように構成されている。なお、上記以外の構成については、前述した第１実施形態と同様に構成されている。
【００６６】
この実施形態によれば、ハンドグリップ１０９のグリップ部１０９Ａとサポート部材１０７とを利用して２つのバッテリパック１７０Ａ，１７０Ｂを離間した２箇所に合理的に配置することができる。また、この他、第１実施形態と概ね同様の効果を奏することが可能である。
【００６７】
（本発明の第７実施形態）                                      
次に本発明の第７実施形態につき、図１９を参照しつつ説明する。この実施形態は、第２形態のハンマドリル１００において、グリップ部１０９Ａの延在端部およびサポート部材１０７の下面に、２つのバッテリ装着部１６０Ａ，１６０Ｂをハンマビット１１９の長軸方向に前後に並べて設ける。そして、２つのバッテリ装着部１６０Ａ，１６０Ｂは、バッテリパック１７０Ａ，１７０Ｂをハンマビット１１９の長軸方向とハンドグリップ１０９の延在方向との両方の方向に交差する方向に移動することで着脱自在に装着する構成としている。なお、上記以外の構成については、前述した第１実施形態と同様に構成されている。
【００６８】
この実施形態によれば、グリップ部１０９Ａの延在端部およびサポート部材１０７の下面を利用して２つのバッテリ装着部１６０Ａ，１６０Ｂを合理的に配置できる。また、この他、第１実施形態と概ね同様の効果を奏することが可能である。
【００６９】
（本発明の第８実施形態）                                      
次に本発明の第８実施形態につき、図２０を参照しつつ説明する。この実施形態は、第２形態のハンマドリル１００において、２つのバッテリ装着部１６０Ａ，１６０Ｂを、モータハウジング１０３のうち、ギアハウジング１０５の下面に対して面一とされた領域の下面と、ギアハウジング１０５の下面との両方に跨ってハンマビット１１９の長軸方向に並べて設けている。そして、それらバッテリ装着部１６０Ａ，１６０Ｂのそれぞれに、バッテリパック１７１Ａ，１７０Ｂをハンマビット１１９の長軸方向とハンドグリップ１０９の延在方向との両方の方向に交差する方向に移動することで着脱自在に装着する構成としている。なお、上記以外の構成については、前述した第１実施形態と同様に構成されている。
【００７０】
この実施形態によれば、第２形態のハンマドリル１００において、モータハウジング１０３とギアハウジング１０５を利用して２つのバッテリ装着部１６０Ａ，１６０Ｂを合理的に配置できる。また、この他、第１実施形態と概ね同様の効果を奏することが可能である。
【００７１】
（本発明の第９実施形態）                                      
次に本発明の第９実施形態につき、図２１を参照しつつ説明する。この実施形態は、第３形態のハンマドリル１００において、ハンドグリップ１０９の延在端部の下面に、２つのバッテリ装着部１６０Ａ，１６０Ｂをハンマビット１１９の長軸方向に並べて設ける。そして、２つのバッテリ装着部１６０Ａ，１６０Ｂは、バッテリパック１７０Ａ，１７０Ｂをハンマビット１１９の長軸方向とハンドグリップ１０９の延在方向との両方の方向に交差する方向に移動することで着脱自在に装着する構成としている。なお、上記以外の構成については、前述した第１実施形態と同様に構成されている。
【００７２】
この実施形態によれば、第３形態のハンマドリル１００において、ハンドグリップ１０９の延在端部の下面を利用して２つのバッテリ装着部１６０Ａ，１６０Ｂを合理的に配置できる。また、この他、第１実施形態と概ね同様の効果を奏することが可能である。
【００７３】
（本発明の第１０実施形態）                                  
次に本発明の第１０実施形態につき、図２２を参照しつつ説明する。この実施形態は、第４形態のハンマドリル１００において、ハンドグリップ１０９のグリップ部１０９Ａの下端部とモータハウジング１０３を連結するサポート部材１０７の前面に、２つのバッテリ装着部１６０Ａ，１６０Ｂを上下方向に並べて設ける。そして、２つのバッテリ装着部１６０Ａ，１６０Ｂは、バッテリパック１７０Ａ，１７０Ｂをハンマビット１１９の長軸方向とハンドグリップ１０９の延在方向との両方の方向に交差する方向に移動することで着脱自在に装着する構成としている。なお、上記以外の構成については、前述した第１実施形態と同様に構成されている。
【００７４】
この実施形態によれば、第４形態のハンマドリル１００において、サポート部材１０７の前面を利用して２つのバッテリ装着部１６０Ａ，１６０Ｂを合理的に配置できる。また、この他、第１実施形態と概ね同様の効果を奏することが可能である。
【００７５】
（本発明の第１１実施形態）                                  
次に本発明の第１１実施形態につき、図２３を参照しつつ説明する。この実施形態は、第１形態のハンマドリル１００において、モータハウジング１０３とハンドグリップ１０９とを連接する下方連接部１０３ｂの下面を段差の無い平面に形成した上で、その下方連接部１０３ｂの下面に、２つのバッテリ装着部１６０Ａ，１６０Ｂをハンマビット１１９の長軸方向に前後に並べて設ける。そして、一方のバッテリ装着部１６０Ａは、バッテリパック１７０Ａを他方のバッテリ装着部１６０Ｂに近づく方向に移動することで当該一方のバッテリ装着部１６０Ａに装着させる構成とし、他方のバッテリ装着部１６０Ｂは、バッテリパック１７０Ｂを一方のバッテリ装着部１６０Ａに近づく方向に移動させることで当該他方のバッテリ装着部１６０Ｂに装着する構成としている。なお、上記以外の構成については、前述した第１実施形態と同様に構成されている。
【００７６】
この実施形態によれば、第１形態のハンマドリル１００において、モータハウジング１０３とハンドグリップ１０９の下面を利用して２つのバッテリ装着部１６０Ａ，１６０Ｂを合理的に配置できる。また、この他、第１実施形態と概ね同様の効果を奏することが可能である。
【００７７】
（本発明の第１２実施形態）                                  
次に本発明の第１２実施形態につき、図２４を参照しつつ説明する。この実施形態は、第３形態のハンマドリル１００において、ハンドグリップ１０９の延在端部の下面に、２つのバッテリ装着部１６０Ａ，１６０Ｂをハンマビット１１９の長軸方向に前後に並べて設ける。そして、一方のバッテリ装着部１６０Ａは、バッテリパック１７０Ａを他方のバッテリ装着部１６０Ｂに近づく方向に移動することで当該一方のバッテリ装着部１６０Ａに装着させる構成とし、他方のバッテリ装着部１６０Ｂは、バッテリパック１７０Ｂを一方のバッテリ装着部１６０Ａに近づく方向に移動させることで当該他方のバッテリ装着部１６０Ｂに装着する構成としている。なお、上記以外の構成については、前述した第１実施形態と同様に構成されている。
【００７８】
この実施形態によれば、第３形態のハンマドリル１００において、ハンドグリップ１０９の延在端部の下面を利用して２つのバッテリ装着部１６０Ａ，１６０Ｂを合理的に配置できる。また、この他、第１実施形態と概ね同様の効果を奏することが可能である。
【００７９】
（本発明の第１３実施形態）                                  
次に本発明の第１３実施形態につき、図２５を参照しつつ説明する。この実施形態は、第４形態のハンマドリル１００において、ハンドグリップ１０９のグリップ部１０９Ａの下面、および当該グリップ部１０９Ａの下端部とモータハウジング１０３を連結するサポート部材１０７の下面を平坦面（面一）とし、当該平坦面に２つのバッテリ装着部１６０Ａ，１６０Ｂをハンマビット１１９の長軸方向に前後に並べて設ける。そして、一方のバッテリ装着部１６０Ａは、バッテリパック１７０Ａを他方のバッテリ装着部１６０Ｂに近づく方向に移動することで当該一方のバッテリ装着部１６０Ａに装着させる構成とし、他方のバッテリ装着部１６０Ｂは、バッテリパック１７０Ｂを一方のバッテリ装着部１６０Ａに近づく方向に移動させることで当該他方のバッテリ装着部１６０Ｂに装着する構成としている。なお、上記以外の構成については、前述した第１実施形態と同様に構成されている。
【００８０】
この実施形態によれば、第４形態のハンマドリル１００において、グリップ部１０９Ａの下面およびサポート部材１０７の下面を利用して２つのバッテリ装着部１６０Ａ，１６０Ｂを合理的に配置できる。また、この他、第１実施形態と概ね同様の効果を奏することが可能である。
【００８１】
（本発明の第１４実施形態）                                  
次に本発明の第１４実施形態につき、図２６を参照しつつ説明する。この実施形態は、第１形態のハンマドリル１００において、一方のバッテリ装着部１６０Ａを、モータハウジング１０３とハンドグリップ１０９とを連接する下方連接部１０３ｂの下面に設け、他方のバッテリ装着部１６０Ｂを、モータハウジング１０３の下部前面に設ける。すなわち、２つのバッテリ装着部１６０Ａ，１６０Ｂは、モータハウジング１０３を介在して離間した離間配置とする。このモータハウジング１０３の後部下面と下部前面が、本発明における「工具本体および／またはハンドルが介在して離間した２箇所」に対応する。そして、一方のバッテリ装着部１６０Ａは、一方のバッテリパック１７０Ａをハンマドリル１００の後方において、ハンマビット１１９の長軸方向と平行な方向に移動して着脱自在に装着する構成とし、他方のバッテリ装着部１６０Ｂは、他方のバッテリパック１７０Ｂをハンマドリル１００の下方において、上下方向に移動して着脱自在に装着する構成としている。なお、上記以外の構成については、前述した第１実施形態と同様に構成されている。
【００８２】
この実施形態によれば、第１形態のハンマドリル１００において、下方連接部１０３ｂの下面とモータハウジング１０３の下部前面を利用して２つのバッテリ装着部１６０Ａ，１６０Ｂを合理的に配置できる。また、この他、第１実施形態と概ね同様の効果を奏することが可能である。
【００８３】
（本発明の第１５実施形態）                                  
次に本発明の第１５実施形態につき、図２７を参照しつつ説明する。この実施形態は、第２形態のハンマドリル１００において、一方のバッテリ装着部１６０Ａを、グリップ部１０９Ａの延在端部およびサポート部材１０７の下面に設け、他方のバッテリ装着部１６０Ｂを、モータハウジング１０３のうち、ギアハウジング１０５の下面に対して概ね面一とされた領域の下面に設ける。すなわち、２つのバッテリ装着部１６０Ａ，１６０Ｂは、モータハウジング１０３およびハンドグリップ１０９を介在して離間した離間配置とする。このモータハウジング１０３およびハンドグリップ１０９が、本発明における「工具本体および／またはハンドルが介在して離間した２箇所」に対応する。そして、それらバッテリ装着部１６０Ａ，１６０Ｂは、バッテリパック１７０Ａ，１７０Ｂをハンマビット１１９の長軸方向と平行な方向に移動することで着脱自在に装着する構成としている。なお、上記以外の構成については、前述した第１実施形態と同様に構成されている。
【００８４】
この実施形態によれば、第２形態のハンマドリル１００において、グリップ部１０９Ａの延在端部およびサポート部材１０７の下面とモータハウジング１０３の一部を利用して２つのバッテリ装着部１６０Ａ，１６０Ｂを合理的に配置できる。また、この他、第１実施形態と概ね同様の効果を奏することが可能である。
【００８５】
（本発明の第１６実施形態）                                  
次に本発明の第１６実施形態につき、図２８及び図２９を参照しつつ説明する。この実施形態は、第２形態のハンマドリル１００において、ハンマビット１１９の長軸線上、すなわち打撃軸上において、モータハウジング１０３およびギアハウジング１０５の両方に跨って左右側面にバッテリ装着部１６０Ａ，１６０Ｂを設けている。すなわち、２つのバッテリ装着部１６０Ａ，１６０Ｂは、モータハウジング１０３及びギアハウジング１０５を介在して左右２箇所に離間して設けられている。このモータハウジング１０３及びギアハウジング１０５の左右側面が、本発明における「工具本体および／またはハンドルが介在して離間した２箇所」に対応する。そして、左右のバッテリ装着部１６０Ａ，１６０Ｂは、バッテリパック１７０Ａ，１７０Ｂがハンマドリル１００の後方側から前方側へ移動することで装着され、前方側から後方側へ移動することで取り外されるように構成されている。なお、上記以外の構成については、前述した第１実施形態と同様に構成されている。
【００８６】
この実施形態によれば、バッテリパック１７０Ａ，１７０Ｂがハンマビット１１９の打撃軸上に配置されることで、ハンマドリル１００の重心位置をハンマビット１１９の長軸方向と交差する上下方向に関して打撃軸に近づけることが可能になる。これにより、ハンマビット１１９の打撃時におけるハンマドリル１００の重心回りの前後方向モーメントを軽減できる。また、この他、第１実施形態と概ね同様の効果を奏することが可能である。
【００８７】
（本発明の第１７実施形態）                                  
次に本発明の第１７実施形態につき、図３０を参照しつつ説明する。この実施形態は、第３形態のハンマドリル１００において、一方のバッテリ装着部１６０Ａを、ハンドグリップ１０９の延在端部に設け、他方のバッテリ装着部１６０Ｂを、モータハウジング１０３のうち、ギアハウジング１０５の下面に対して面一とされた領域の下面と、ギアハウジング１０５の下面との両方に跨って設ける。すなわち、２つのバッテリ装着部１６０Ａ，１６０Ｂは、モータハウジング１０３およびハンドグリップ１０９を介在して離間した離間配置とする。このモータハウジング１０３およびハンドグリップ１０９が、本発明における「工具本体および／またはハンドルが介在して離間した２箇所」に対応する。そして、それらバッテリ装着部１６０Ａ，１６０Ｂは、バッテリパック１７０Ａ，１７０Ｂをハンマビット１１９の長軸方向と平行に前方から後方へと移動させて着脱自在に装着する構成とする。
【００８８】
（本発明の第１８実施形態）                                  
次に本発明の第１８実施形態につき、図３１を参照しつつ説明する。この実施形態は、前述した第１実施形態の変形例であり、下方連接部１０３ｂの下面に前後方向に並んで装着されたバッテリパック１７０Ａ，１７０Ｂを、回動式の開閉自在なカバー部材１８０によって覆う構成としたものである。カバー部材１８０は、上面と前面が開放された略直方体の箱形部材であり、モータハウジング１０３に対して当該カバー部材１８０の前端下部が支軸１８１を回動支点として上下方向に回動自在に取り付けられている。カバー部材１８０は、図３１に実線で示すように、上方へ回動することにより下方連接部１０３ｂの下方を閉じてバッテリパック１７０Ａ，１７０Ｂの全体を覆い、二点鎖線で示すように、下方へ回動することにより下方連接部１０３ｂの下方を開放してバッテリパック１７０Ａ，１７０Ｂの着脱を許容する。なお、カバー部材１８０は、係合凹部１８３を有し、上方へと回動された際に、この係合凹部１８３が下方連接部１０３ｂの後端部に設けた係合突部１８５に係合することによって閉じ位置に保持される。
【００８９】
この形態によれば、下方連接部１０３ｂの下面に装着されたバッテリパック１７０Ａ，１７０Ｂをカバー部材１８０により覆う構成としたことにより、バッテリパック１７０Ａ，１７０Ｂに対する防塵効果および防水効果が得られるとともに、バッテリパック１７０Ａ，１７０Ｂの不測の抜け落ちを防止する上でも有効であり、更には製品落下時におけるバッテリパック１７０Ａ，１７０Ｂの保護にも有効となる。
【００９０】
上記の形態では、カバー部材１８０がモータハウジング１０３に設けられた構造を例示しているが、この直付け式の形態に限らず、カバー部材１８０がハンマドリル１００から独立していてもよい。この独立式の形態では、複数のバッテリパックをカバー部材の取り付けによって一体化する。すなわち、複数のバッテリパックをカバー部材内に収容配置し、当該複数のバッテリパックにカバー部材を組み付けることで組付け構造体を構成する。そして、組み付けられた状態の当該組付け構造体をバッテリ装着部に装着可能とするために、複数のバッテリパックのターミナルおよび装着ガイドがカバー部材から露出する構成とする。そして、当該組付け構造体をバッテリ装着部に装着した場合には、カバー部材がバッテリ装着部に面当たりで当接してバッテリパックが外部に対してカバー部材により密封された状態とすることが好ましい。
【００９１】
上記のように構成された独立式の形態によれば、カバー部材を、必要な作業時にのみ取り付ければよく、また、複数のバッテリパックを一度でバッテリ装着部に装着可能となる。さらにはハンマドリルから取り外したバッテリパックを一体状に保持できるため、紛失防止の上でも有効となる。
【００９２】
なお、上述したカバー部材１８０については、ハンマドリル１００以外の打撃工具であるハンマに適用できることは勿論のこと、打撃工具に限らず、電動ドライバ、電動レンチ、電動グラインダ、電動レシプロソー、電動ジグソー等、複数のバッテリパックを装着可能とした動力工具であれば種類を問わず採用することが可能であり、同様の効果を奏することができる。
【００９３】
なお、２つのバッテリ装着部１６０Ａ，１６０Ｂの配置構成及びバッテリパック１７０Ａ，１７０Ｂの着脱方向については、第１〜第１７実施形態に記載の各形態を適宜組み合わせて変形することも可能である。
【００９４】
また、上述した実施形態においては、バッテリ装着部１６０Ａ，１６０Ｂに構成部材としてのガイドレール１６１、係止部１６３がモータハウジング１０３と一体に形成されるとして説明したが、モータハウジング１０３とは別体として形成し、それを後付けで取り外し不能に固定される構成に変更可能である。また、上述した実施形態においては、バッテリ装着部が２つの場合で説明しているが、３個以上であっても構わない。
【００９５】
また、本実施の形態は、打撃工具の例として、打撃動作と回転動作を行うハンマドリルの場合で説明したが、ハンマビット１１９が打撃動作のみを行なうハンマに適用することも可能である。
【００９６】
上記発明の趣旨に鑑み、本発明に係る打撃工具は、下記の態様が構成可能である。
（態様）
請求項１に記載の打撃工具であって、
前記バッテリ装着部は、前記バッテリが係合可能なバッテリ係合部を有し、前記バッテリが前記バッテリ係合部に係合することによって当該バッテリを保持するように構成されており、
前記打撃軸と前記モータの回転軸が形成する仮想面の法線方向に、前記バッテリが前記バッテリ係合部に対して摺動することで、当該バッテリが前記バッテリ装着部に装着されるように構成されていることを特徴とする打撃工具。
【００９７】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
本体部１０１が、本発明の「工具本体」に対応する構成の一例である。
ハンマビット１１９が、本発明の「工具ビット」に対応する構成の一例である。
電動モータ１１０が、本発明の「モータ」に対応する構成の一例である。
２つのバッテリ装着部１６０Ａ，１６０Ｂが、本発明の「複数のバッテリ装着部」に対応する構成の一例である。
バッテリパック１７０Ａ，１７０Ｂが、本発明の「バッテリ」に対応する構成の一例である。
ガイドレール１６１が、本発明の「バッテリ係合部」に対応する構成の一例である。
サポート部材１０７が、本発明の「補強部材」に対応する構成の一例である。
【符号の説明】
【００９８】
１００  ハンマドリル（打撃工具）
１０１  本体部（工具本体）
１０３  モータハウジング
１０３ａ  上方連接部
１０３ｂ  下方連接部
１０３ｃ  縦壁部
１０５  ギアハウジング
１０７  サポート部材（補強部材）
１０９  ハンドグリップ（ハンドル）
１０９Ａ  グリップ部
１０９ａ  トリガ
１１０  電動モータ（モータ）
１１１  モータ軸
１１９  ハンマビット（工具ビット）
１２０  運動変換機構
１２１  中間軸
１２３  回転体
１２５  揺動部材
１２７  筒状のピストン
１２７ａ  空気室
１２９  シリンダ
１３０  コントローラ
１４０  打撃要素
１４３  ストライカ
１４５  インパクトボルト
１５０  動力伝達機構
１５１  第１ギア
１５３  第２ギア
１５９  ツールホルダ
１６０  装着部
１６０Ａ，１６０Ｂ  バッテリ装着部（複数のバッテリ装着部）
１６１  ガイドレール
１６３  係止部
１６５  ターミナル
１６７  ラバーピン
１７０Ａ，１７０Ｂ  バッテリパック（バッテリ）
１７１  バッテリケース
１７３  装着ガイド
１７５  ロック用のフック
１７７  ロック解除用の押しボタン
１７９  ターミナル
１８０  カバー部材
１８１  支軸
１８３  係合凹部
１８５  係合突部
【図１】
2014148014.tif 000003
【図２】
2014148014.tif 000004
【図３】
2014148014.tif 000005
【図４】
2014148014.tif 000006
【図５】
2014148014.tif 000007
【図６】
2014148014.tif 000008
【図７】
2014148014.tif 000009
【図８】
2014148014.tif 000010
【図９】
2014148014.tif 000011
【図１０】
2014148014.tif 000012
【図１１】
2014148014.tif 000013
【図１２】
2014148014.tif 000014
【図１３】
2014148014.tif 000015
【図１４】
2014148014.tif 000016
【図１５】
2014148014.tif 000017
【図１６】
2014148014.tif 000018
【図１７】
2014148014.tif 000019
【図１８】
2014148014.tif 000020
【図１９】
2014148014.tif 000021
【図２０】
2014148014.tif 000022
【図２１】
2014148014.tif 000023
【図２２】
2014148014.tif 000024
【図２３】
2014148014.tif 000025
【図２４】
2014148014.tif 000026
【図２５】
2014148014.tif 000027
【図２６】
2014148014.tif 000028
【図２７】
2014148014.tif 000029
【図２８】
2014148014.tif 000030
【図２９】
2014148014.tif 000031
【図３０】
2014148014.tif 000032
【図３１】
2014148014.tif 000033